(57)【要約】【課題】赤色発光ダイオードの放熱を発光色の異なる発光部よりも向上させて発光効率の低下を抑制できるＬＥＤ照明装置を提供する。【解決手段】ＬＥＤ照明装置１は、赤色発光ダイオード２９を有する赤色発光部２２を含む発光色の異なる複数の発光部１９〜２２および発光部１９〜２２を配設している基板１８を有してなり、赤色発光部２２が発光色の異なる発光部１９，２０，２１の外側となるように基板１８に配置されているＬＥＤモジュール３と、ＬＥＤモジュール設置部１０，１１およびＬＥＤモジュール設置部１０，１１の内側に発熱部２ａを有し、赤色発光部２２が発熱部２ａに対して最も離間した位置となるようにＬＥＤモジュール３をＬＥＤモジュール設置部１０，１１に配設している金属製の装置本体２と、発光部１９〜２２に電力を供給する点灯装置４を具備している。【選択図】図３
2009283214.tif 000002
【特許請求の範囲】
【請求項１】
赤色光を発光する発光ダイオードを有する赤色発光部を含む発光色の異なる複数の発光部およびこの発光部を配設している基板を有してなり、前記赤色発光部が発光色の異なる発光部の外側となるように基板に配置されているＬＥＤモジュールと；
環状に複数個のＬＥＤモジュールが配設されるＬＥＤモジュール設置部およびこのＬＥＤモジュール設置部の内側に発熱部を有し、前記赤色発光部が前記発熱部に対して最も離間した位置となるようにＬＥＤモジュールをＬＥＤモジュール設置部に配設している金属製の装置本体と；
発光部に電力を供給する点灯装置と；
を具備していることを特徴とするＬＥＤ照明装置。
【請求項２】
装置本体は、前記発熱部の外側に、かつＬＥＤモジュールの赤色発光部の内側となるように環状に放熱凸部が形成されていることを特徴とする請求項１記載のＬＥＤ照明装置。
【発明の詳細な説明】
【技術分野】
【０００１】
本発明は、異なる複数種の発光色の光を混色して照明光を得るＬＥＤ照明装置に関する。
【背景技術】
【０００２】
従来、発光色の異なる複数種の発光ダイオードからの光を混光して所望の照明光を得ている。そして、基板に発光色の異なる赤、青、緑の３種類を少なくとも含む複数種の発光ダイオード素子（ＬＥＤチップ）を実装するＬＥＤ照明装置が提案されている（例えば特許文献１参照。）。この従来技術のＬＥＤ照明装置は、矩形板状のＭＩＤ（立体回路成形品）基板の片面に多数の凹部が縦横に配設され、その凹部の底面に例えば３個のＬＥＤチップが実装されている。
【０００３】
ところで、発光ダイオードは、その点灯により熱を発生する。この熱が速やかに放出されずにＬＥＤチップの温度が高くなると、ＬＥＤチップの発光効率は低下する。特に、赤色光を発光する発光ダイオードは、温度上昇に対して発光効率の低下が大きいことが知られている（例えば特許文献２参照。）。このため、温度変化に応じて発光ダイオードに供給する電流を調整して当該特性変動を補償することを行っているものもある。
【特許文献１】特開平１１−１６３４１２号公報（第４頁、第１−２図）
【特許文献２】特開２００７−２０１４７３号公報（第４頁、第２図）
【発明の開示】
【発明が解決しようとする課題】
【０００４】
しかしながら、ＬＥＤ照明装置は、発光色の異なるＬＥＤチップを実装した基板を多数配設して構成されるので、基板ごとにサーミスタ等の温度検出手段を設けると高価になり実用的でないという問題がある。
【０００５】
本発明は、赤色発光ダイオードの放熱を発光色の異なる発光部よりも向上させて発光効率の低下を抑制できるＬＥＤ照明装置を提供することを目的とする。
【課題を解決するための手段】
【０００６】
請求項１に記載のＬＥＤ照明装置の発明は、赤色光を発光する発光ダイオードを有する赤色発光部を含む発光色の異なる複数の発光部およびこの発光部を配設している基板を有してなり、前記赤色発光部が発光色の異なる発光部の外側となるように基板に配置されているＬＥＤモジュールと；環状に複数個のＬＥＤモジュールが配設されるＬＥＤモジュール設置部およびこのＬＥＤモジュール設置部の内側に発熱部を有し、前記赤色発光部が前記発熱部に対して最も離間した位置となるようにＬＥＤモジュールをＬＥＤモジュール設置部に配設している金属製の装置本体と；発光部に電力を供給する点灯装置と；を具備していることを特徴とする。
【０００７】
本発明および以下の発明において、特に言及しない限り、各構成は以下による。
【０００８】
「赤色発光部が発光色の異なる発光部の外側となるように基板に配置されている」とは、赤色発光ダイオードが他の発光色の異なる発光部に包囲されていないことを意味する。
【０００９】
また、「赤色発光部が発熱部に対して最も離間した位置となるように」とは、赤色発光部が他の発光部よりも装置本体の発熱部から最も離間して外方に露出していることを意味する。
【００１０】
「発熱部」とは、熱が発生している装置本体の部位をいい、例えば他のＬＥＤモジュールや点灯装置が配設されている部位である。
【００１１】
装置本体は、アルミニウム（Ａｌ）またはその合金を好適に用いることができるが、これに代えて鉄系材料を用いて形成してもよい。
【００１２】
本発明によれば、ＬＥＤモジュールは、赤色光を発光する赤色発光ダイオードが他の発光色の異なる発光部の外側となるように基板に配置されて形成され、赤色発光部が装置本体の発熱部に対して最も離間した位置となるようにＬＥＤモジュールをＬＥＤモジュール設置部に配設しているので、赤色発光ダイオードは、他の発光色の異なる発光部よりも発熱部からの熱影響を受けにくく、かつ装置本体の外側に放熱しやすくなる。これにより、赤色発光ダイオードの温度上昇が抑制されて、赤色発光ダイオードの発光効率の低下が抑制される。
【００１３】
請求項２に記載のＬＥＤ照明装置の発明は、請求項１に記載のＬＥＤ照明装置の発明において、装置本体は、前記発熱部の外側に、かつＬＥＤモジュールの赤色発光部の内側となるように環状に放熱凸部が形成されていることを特徴とする。
【００１４】
本発明によれば、装置本体の発熱部からＬＥＤモジュール側に伝熱される熱が放熱凸部から外気側に放出されるので、赤色発光ダイオードの温度上昇がより抑制され、赤色発光ダイオードの発光効率の低下がより抑制される。
【発明の効果】
【００１５】
請求項１の発明によれば、赤色発光部の赤色発光ダイオードは、他の発光色の異なる発光部よりも発熱部からの熱影響を受けにくく、かつ装置本体の外側に放熱しやすいことにより、他の発光色の異なる発光部よりも温度上昇が抑制されて発光効率の低下が抑制されるので、ＬＥＤモジュールから放射される発光色の異なる光が混じり合った照明光の色度値のずれを抑制することができる。
【００１６】
請求項２の発明によれば、装置本体の発光部からの熱が放熱凸部からも外気側に放出されて、赤色発光部の赤色発光ダイオードの温度上昇がより抑制されるので、赤色発光ダイオードの発光効率の低下をより抑制することができて、ＬＥＤモジュールから放射される照明光の色度値のずれをより防止することができる。
【発明を実施するための最良の形態】
【００１７】
以下、本発明の一実施の形態について図面を参照して説明する。まず、本発明の第１実施形態を説明する。
【００１８】
図１ないし図５は、本発明の第１の実施形態を示し、図１はＬＥＤ照明装置であり、（ａ）は概略側面図、（ｂ）は概略上面図、図２はＬＥＤ照明装置であり、（ａ）は概略下面図、（ｂ）は制光体を取り外した状態の概略下面図、図３はＬＥＤ照明装置の概略側断面図、図４はＬＥＤモジュールの概略正面図、図５はＬＥＤモジュールの配置を示す説明図である。
【００１９】
図１および図２において、ＬＥＤ照明装置１は、装置本体２、ＬＥＤモジュール３および点灯装置４を有して構成されている。
【００２０】
ＬＥＤ照明装置１は、図１（ａ）に示すように、天井５に吊り下げられて設置される吊り下げ型の照明装置である。装置本体２は、天井５に固定されたペンダントベース６に吊下げ部材例えばチェーン７により吊り下げられている。ペンダントベース６は、点灯装置４を内蔵している。点灯装置４は、電源コード８により装置本体２に配設されたＬＥＤモジュール３に接続され、図示しないリモートコントローラからの無線送信による指令または図示しない壁スイッチに設けられた操作部の手動操作による指令によりＬＥＤモジュール３の点消灯および調光の制御を行うものである。
【００２１】
装置本体２は、例えばアルミニウム（Ａｌ）の一体成形品であり、図３に示すように、上側の中央部に膨出部９を有する略円盤状に形成されている。そして、装置本体２は、下側の中央部に正面視略円状であって膨出部９に達する深い１つの大きな凹部１０が形成され、上側の周回部に正面視略円状の複数の凹部１１がそれぞれ形成されている。この凹部１０および凹部１１は、装置本体２のＬＥＤモジュール設置部を形成している。
【００２２】
そして、凹部１０には、その底面１０ａに装置本体２の下側に光を照射する複数個のＬＥＤモジュール３（下方照明用ＬＥＤモジュール３ａ）が環状に配設されているとともに、ＬＥＤモジュール３ａを覆う透光性の制光体１２を取り付けている。また、凹部１１には、その底面１１ａに装置本体２の上側に光を照射するＬＥＤモジュール３（上方照明用ＬＥＤモジュール３ｂ）がそれぞれ配設されているとともに、ＬＥＤモジュール３ｂを覆う透光性のカバー１３を取り付けている。各ＬＥＤモジュール３と点灯装置４は、電源コード８を介して電気的に接続されている。
【００２３】
ＬＥＤモジュール３ａは、図２（ｂ）に示すように、凹部１０の中心部に１個、その周りに周方向であって等間隔に７個、さらにその外側に周方向であって等間隔に８個がそれぞれ配設されている。すなわち、前記７個のＬＥＤモジュール３ａは、図２（ｂ）中に一点鎖線で示した小径円Ｓ１に沿って環状に配設され、前記８個のＬＥＤモジュール３ａは、一点鎖線で示した大径円Ｓ２に沿って環状に配設されている。
【００２４】
そして、凹部１０の中心部は、装置本体２の発熱部２ａであり、複数個のＬＥＤモジュール３ａのうち、凹部１０の中心部に配設された１個および前記小径円Ｓ１に沿って配設された７個は、発熱体を形成している。
【００２５】
制光体１２は、凹部１０に嵌合して配置されている。制光体１２は、ＬＥＤモジュール３ａのまぶしさを緩和するために、拡散透光性の材料例えば乳白色の合成樹脂で形成され、図２（ａ）および図３に示すように、例えば中央部に孔１５を有している。
【００２６】
ＬＥＤモジュール３ｂは、図１（ｂ）に示すように、装置本体２の上面の周回部に周方向であって等間隔に例えば８個配設されている。すなわち、装置本体２の上面に環状に配設されている。
【００２７】
カバー１３は、透明な樹脂板等からなっている。カバー１３は、ＬＥＤモジュール３ｂと同数用意され、図１（ｂ）および図３に示すように、ＬＥＤモジュール３ｂを個別に上方から覆って装置本体２に取付けられている。
【００２８】
図３において、膨出部９には、その上面の大部分を占める円状の浅い凹部１４が形成され、この凹部１４に底面から上向きに突出する多数の放熱凸部１６が形成されている。放熱凸部１６は、柱状例えば角柱状であり、図１（ｂ）に示すように、凹部１４の全域を埋め尽くすように縦横に整列して設けられている。縦横に隣接した放熱凸部１６の相互間にはそれぞれ空隙が形成されている。空隙は、天井５と膨出部９の間に開放していて、そこに空気が流通できるようになっている。そして、放熱凸部１６は、図３に示すように、その高さがいずれも同じであるとともに、その高さ位置を膨出部９の上面と同じ高さにしている。これは、放熱凸部１６の加工において、これらの高さに差を付ける工夫を要さないので、加工が容易となるものである。
【００２９】
また、装置本体２のＬＥＤモジュール３ｂの間には、図１（ｂ）に示すように、環状に、すなわちＬＥＤモジュール３ｂの配設方向である膨出部９の中心部を中心とする円周上に沿って、凸条からなる複数の放熱凸部１７が形成されている。
【００３０】
ＬＥＤモジュール３は、図４に示すように、基板１８および発光色の異なる複数の第１〜第４の発光部１９，２０，２１，２２を有して構成されている。
【００３１】
基板１８は、セラミックや合成樹脂などの電気絶縁物からなり、その外形が正面視正八角形に形成され、その中央部に例えば縦横各３０ｍｍの大きさに形成された四角形の凹部２３を有している。この凹部２３の底面には、銅箔や銀箔などの金属箔からなる図示しない熱拡散層が設けられている。そして、凹部２３は、合成樹脂や金属板からなる仕切り２４により複数の領域に区画され、それぞれの領域が第１〜第４の発光部１９，２０，２１，２２に形成されている。
【００３２】
第１の発光部１９は、四角な凹部２３を、その平行な二辺に沿って平行に三等分した中央部の長方形の領域に設けられ、黄色光を発光するように形成されている。すなわち、当該領域に複数個例えば８個の青色発光ダイオード２５（以下、青色ＬＥＤ２５と略称する。）が設けられているとともに、これら青色ＬＥＤ２５を封止して透光性の第１の封止部材２６が設けられていて、この第１の封止部材２６に図示しない蛍光体が混ぜられている。
【００３３】
各青色ＬＥＤ２５は、４３５〜４７５ｎｍの間にピーク波長を有するチップ状のＬＥＤが用いられている。これらチップ状の青色ＬＥＤ２５は、サファイア等の透光性でかつ電気絶縁性の素子基板の一面に青色発光をする半導体発光層を設けてなり、その素子基板の前記一面と平行な他面を図示しないダイボンド材により前記熱拡散層に接着することによって、所定の配置で基板１８に実装されている。複数個の青色ＬＥＤ２５は、隣接した青色ＬＥＤ２５が図示しないボンディングワイヤ等の電気的接続要素を介して接続されることにより、電気的に直列接続されている。
【００３４】
第１の封止部材２６は、透明シリコーン樹脂などからなり、図示しない蛍光体が好ましくは均一に分散して混ぜられている。この蛍光体は、青色ＬＥＤ２５が発する青色の光により励起されて、青色光と異なる波長の光である黄色の光を放射する黄色蛍光体が用いられている。黄色蛍光体は、５５０〜６００ｎｍの間にピーク波長を有する。この黄色蛍光体が混ぜられた第１の封止部材２６で青色ＬＥＤ２５が封止された領域は、第１の発光部１９であり、以下、黄色発光領域Ｙとも称する。
【００３５】
第２の発光部２０は、黄色発光領域Ｙを除く四角な凹部２３を、黄色発光領域Ｙの長手方向に沿って平行に三等分した黄色発光領域Ｙの長手方向中央部の両側の領域（図４において上下両側）に設けられ、緑色光を発光するように形成されている。すなわち、当該一対の領域に青色ＬＥＤ２５が複数個例えば４個ずつ設けられているとともに、これら青色ＬＥＤ２５を封止して透光性の第２の封止部材２７が設けられていて、この第２の封止部材２７に図示しない蛍光体が混ぜられている。各青色ＬＥＤ２５は、各領域ごとに電気的に直列接続されている。
【００３６】
第２の封止部材２７は、透明シリコーン樹脂などからなり、図示しない蛍光体が好ましくは均一に分散して混ぜられている。この蛍光体には、青色ＬＥＤ２５が発する青色の光により励起されて、青色光と異なる波長の光である緑色の光を放射する緑色蛍光体が用いられている。緑色蛍光体は、４９５〜５３５ｎｍの間にピーク波長を有する。この緑色蛍光体が混ぜられた第２の封止部材２７で青色ＬＥＤ２５が封止された領域は、第２の発光部２０であり、以下、緑色発光領域Ｇとも称する。緑色発光領域Ｇの面積は、黄色発光領域Ｙの略２／３となっている。
【００３７】
第３の発光部２１は、第１の発光部１９の長手方向の一端側であって第２の発光部２０を挟む領域にそれぞれ設けられている。そして、第３の発光部２１は、複数の青色ＬＥＤ２５と、第３の封止部材２８とを有してなり、青色光を発光するように形成されている。青色ＬＥＤ２５は、領域ごとに電気的に直列接続されている。第３の封止部材２８は、透明シリコーン樹脂などからなり、これには蛍光体は混ぜられていない。第３の封止部材２８で青色ＬＥＤ２５が封止された領域は、以下、青色発光領域Ｂとも称する。
【００３８】
第４の発光部２２は、赤色発光部であり、第１の発光部１９の長手方向の他端側であって第２の発光部２０を挟む領域にそれぞれ設けられている。すなわち、第４の発光部２２は、第１〜第４の発光部１９，２０，２１，２２の外側となるように基板１８に配置されている。そして、第４の発光部２２は、複数の赤色発光ダイオード２９（以下、赤色ＬＥＤ２９と略称する。）と、第４の封止部材３０とを有してなり、赤色光を発光するように形成されている。
【００３９】
赤色ＬＥＤ２９は、ピーク波長が６１０ｎｍ以上である発光をするチップ状の赤色ＬＥＤが用いられている。赤色ＬＥＤ２９は、サファイア等の透光性でかつ電気絶縁性の素子基板の一面に赤色発光をする半導体発光層を設けてなり、その素子基板の前記一面と平行な他面を図示しないダイボンド材により前記熱拡散層に接着することによって、所定の配置で基板１８に実装されている。一対の領域のそれぞれに配置された赤色ＬＥＤ２９は、電気的に直列接続されている。
【００４０】
第４の封止部材３０は、透明シリコーン樹脂などからなり、これには蛍光体は混ぜられていない。第４の封止部材３０で赤色ＬＥＤ２９が封止された領域は、以下、赤色発光領域Ｒとも称する。
【００４１】
このように構成されたＬＥＤモジュール３は、例えば、その黄色発光領域Ｙから発する黄色光の発光効率が７２（ｌｍ／Ｗ）、緑色発光領域Ｇから発する緑色光の発光効率が７０（ｌｍ／Ｗ）、青色発光領域Ｂから発する青色光の発光効率は１２（ｌｍ／Ｗ）、赤色発光領域Ｒから発する赤色光の発光効率は２５（ｌｍ／Ｗ）である。
【００４２】
そして、ＬＥＤモジュール３は、電気コネクタ３１，３１を具備している。電気コネクタ３１，３１は、黄色発光領域Ｙをその長手方向両側から挟むように基板１８に搭載されている。隣接したＬＥＤモジュール３は、図５に示すように、それらの電気コネクタ３１，３１間にわたって配線される絶縁被覆電線３２を介して電気的に接続される。
【００４３】
また、基板１８には、図４に示すように、その凹部２３の周りに複数の固定孔３３が設けられている。ＬＥＤモジュール３は、固定孔３３を通るねじ等の固定部品（図示しない）によって装置本体２に固定される。
【００４４】
そして、ＬＥＤモジュール３（３ａ）は、装置本体２の下側の凹部１０において、図５に示すように、第４の発光部（赤色発光部）２２が外側となるように配設されている。第４の発光部２２は、他の第１〜第３の発光部１９，２０，２１よりも、発熱部２ａから最も離間した位置となっている。
【００４５】
また、ＬＥＤモジュール３（３ｂ）は、装置本体２の上側の凹部１１においても、第４の発光部（赤色発光部）２２が膨出部９の中心部に対して外側となるように配設されている。膨出部９の大部分には、放熱凸部１６が形成されており、この放熱凸部１６は、主として装置本体２の下側の凹部１０に配設されているＬＥＤモジュール３ａからの熱を放出する。したがって、膨出部９は、装置本体２の発熱部２ａとなっており、ＬＥＤモジュール３ｂの第４の発光部（赤色発光部）２２は、他の第１〜第３の発光部１９，２０，２１よりも、発熱部２ａから最も離間した位置となっている。
【００４６】
点灯装置４は、第１〜第４の発光部１９，２０，２１，２２に電力を供給して黄色発光領域Ｙ、緑色発光領域Ｇおよび青色発光領域Ｂに配置された各青色ＬＥＤ２５および赤色発光領域Ｒに配置された赤色ＬＥＤ２９を発光（点灯）させるように構成されている。また、各青色ＬＥＤ２５および赤色ＬＥＤ２９に対する電力の入力を制御して、第１〜第４の発光部１９，２０，２１，２２の発光強度を調整するように構成されている。この調整により、所望する照明環境が得られる。
【００４７】
次に、本発明の第１の実施形態の作用について述べる。
【００４８】
点灯装置４により、ＬＥＤモジュール３を点灯させると、ＬＥＤモジュール３の黄色発光領域Ｙからは５５０〜６００ｎｍの間にピーク波長を有する黄色光が発光され、緑色発光領域Ｇからは４９５〜５３５ｎｍの間にピーク波長を有する緑色光が発光され、青色発光領域Ｂからは４３５〜４７５ｎｍの間にピーク波長を有する青色光が発光され、赤色発光領域Ｒからは６１０ｎｍ以上のピーク波長を有した赤色光が発光される。この発光色の異なる四色の光が混じって白色光が形成される。そして、ＬＥＤモジュール３ａからの白色光で装置本体２の下方の床面が照明され、ＬＥＤモジュール３ｂからの白色光で装置本体２の上方の天井面が照明される。
【００４９】
そして、ＬＥＤモジュール３ａは、装置本体２の中心部を中心とする小径円Ｓ１および大径円Ｓ２の円周上に等間隔で配設されているので、床面側を広く均一に照明することができる。また、ＬＥＤモジュール３ｂは、装置本体２の上側の周回部に等間隔で環状に配設されているので、天井面をドーナツ状に均一に照明することができる。
【００５０】
そして、ＬＥＤモジュール３が点灯すると、ＬＥＤモジュール３からの熱により、装置本体２の温度が上昇する。そして、装置本体２の下側の凹部１０において、凹部１０の中心および小径円Ｓ１に沿って配設されたＬＥＤモジュール３ａからの熱は、放熱しにくく、凹部１０の中心部が装置本体２の発熱部２ａとなっている。
【００５１】
そして、大径円Ｓ２に沿って配設されたＬＥＤモジュール３ａは、第４の発光部（赤色発光部）２２が他の発光色が異なる第１〜第３の発光部１９，２０，２１の外側となるように装置本体２に配設されているので、第４の発光部（赤色発光部）２２は、発熱部２ａに対して最も離間している。これにより、第４の発光部２２の温度上昇が他の第１〜第３の発光部１９，２０，２１よりも抑制される。すなわち、赤色ＬＥＤ２９の温度上昇が第１〜第３の発光部１９，２０，２１の青色ＬＥＤ２５よりも抑制される。この結果、赤色ＬＥＤ２９の発光効率の低下を抑制することができて、ＬＥＤモジュール３ａから放射される照明光の色度値がずれることを抑制することができるとともに、照明光の演色性の低下を抑制することができる。
【００５２】
また、小径円Ｓ１に沿って配設されたＬＥＤモジュール３ａにおいても、第４の発光部（赤色発光部）２２が他の第１〜第３の発光部１９，２０，２１の外側となるように配設されているので、赤色ＬＥＤ２９の温度上昇が第１〜第３の発光部１９，２０，２１の青色ＬＥＤ２５よりも抑制される。これにより、赤色ＬＥＤ２９の発光効率の低下を幾分抑制することができる。
【００５３】
また、装置本体２の上側の凹部１１に配設されたＬＥＤモジュール３ｂは、装置本体２の周回部に環状に配設されているとともに、第４の発光部（赤色発光部）２２が他の発光色が異なる第１〜第３の発光部１９，２０，２１の外側となるように配設されているので、第４の発光部（赤色発光部）２２は、発熱部２ａ（放熱凸部１６）に対して最も離間した位置となっている。これにより、第４の発光部２２の温度上昇が他の第１〜第３の発光部１９，２０，２１よりも抑制されて、赤色ＬＥＤ２９の温度上昇が第１〜第３の発光部１９，２０，２１の青色ＬＥＤ２５よりも抑制される。この結果、赤色ＬＥＤ２９の発光効率の低下を抑制することができて、ＬＥＤモジュール３ｂから放射される照明光の色度値がずれることを抑制することができ、照明光の演色性の低下を抑制することができる。
【００５４】
そして、装置本体２の上側には、ＬＥＤモジュール３ｂの配設方向に沿って環状に凸条の放熱凸部１７が複数形成されているので、膨出部９（発熱部２ａ）からＬＥＤモジュール３ｂ側に伝熱される熱およびＬＥＤモジュール３ｂで発生した熱は、放熱凸部１７からも外気側に放出される。赤色発光部（第４の発光部）２２は、他の第１〜第３の発光部１９，２０，２１よりも温度上昇しにくくなる。これにより、ＬＥＤモジュール３ｂの赤色ＬＥＤ２９の温度上昇がより抑制される。この結果、赤色ＬＥＤ２９の発光効率の低下をより抑制することができて、天井面側を照明する照明光の色度値がずれることを抑制することができ、平均演色評価数（Ｒａ）の低下を抑制することができる。
【００５５】
次に、本発明の第２の実施形態について説明する。
【００５６】
図６は、本発明の第２の実施形態を示すＬＥＤモジュール３の配置図である。なお、図２および図５と同一部分には、同一符号を付して説明は省略する。
【００５７】
ＬＥＤ照明装置３４は、図２（ｂ）に示すＬＥＤ照明装置１において、装置本体２の発熱部２ａにおけるＬＥＤモジュール３の配設方向を変更して形成されている。すなわち、発熱部２ａの中心のＬＥＤモジュール３およびその周りに配設されている２個のＬＥＤモジュール３を、第４の発熱部（赤色発熱部）２２が発熱部２ａに対して外側となるように、かつ隣接するＬＥＤモジュール３，３間の配線距離が短くなるように配設したものである。これにより、ＬＥＤモジュール３，３間の配線を容易にすることができるとともに、第４の発光部２２（赤色ＬＥＤ２９）の温度上昇を他の第１〜第３の発光部１９，２０，２１の青色ＬＥＤ２２の温度上昇よりも抑制することができて、赤色ＬＥＤ２９の発光効率の低下を抑制することができる。
【図面の簡単な説明】
【００５８】
【図１】本発明の第１の実施形態を示すＬＥＤ照明装置であり、（ａ）は概略側面図、（ｂ）は一部切り欠き概略上面図。
【図２】同じく、ＬＥＤ照明装置であり、（ａ）は概略下面図、（ｂ）は制光体を取り外した状態の概略下面図。
【図３】同じく、ＬＥＤ照明装置の概略側断面図。
【図４】同じく、ＬＥＤモジュールの概略正面図。
【図５】同じく、ＬＥＤモジュールの配置を示す説明図。
【図６】本発明の第２の実施形態を示すＬＥＤモジュールの配置図。
【符号の説明】
【００５９】
１，３４…ＬＥＤ照明装置
２…装置本体
２ａ…発熱部
３…ＬＥＤモジュール
４…点灯装置
１０，１１…ＬＥＤモジュール設置部としての凹部
２２…赤色発光部としての第４の発光部
【図１】
2009283214.tif 000003
【図２】
2009283214.tif 000004
【図３】
2009283214.tif 000005
【図４】
2009283214.tif 000006
【図５】
2009283214.tif 000007
【図６】
2009283214.tif 000008